(57)【特許請求の範囲】
【請求項１】
構造物の開口部を開閉する引戸上部に固定された引戸固定体と、この引戸固定体から上方に突出する吊用連結部と、前記構造物に設けられた上レールに沿って前記引戸をガイドするとともに前記吊用連結部の先端部に取り付けられたランナ体と、このランナ体に上下動可能に取り付けられるとともに前記引戸の頂面に当接する押圧部材とを備え、
前記ランナ体および押圧部材のいずれか一方に設けられ前記引戸の上縁に対して上下方向に傾斜して延びる傾斜孔と、前記ランナ体および押圧部材のいずれか他方に設けられ前記傾斜孔の幅と同幅の寸法を有し、かつ前記傾斜孔に沿って相対的に案内されることにより前記押圧部材を斜め方向に上下動させるスライド軸部とを有し、
前記ランナ体および押圧部材のいずれか一方には、前記傾斜孔に沿った第１傾斜当接面を有し、前記ランナ体および押圧部材のいずれか他方には、前記第１傾斜当接面に当接する第２傾斜当接面を有することを特徴とする引戸の上部ガイド装置。
【請求項２】
構造物の開口部を開閉する引戸上部に固定された引戸固定体と、この引戸固定体から上方に突出する吊用連結部と、前記構造物に設けられた上レールに沿って前記引戸をガイドするとともに前記吊用連結部の先端部に取り付けられたランナ体と、このランナ体に上下動可能に取り付けられるとともに前記引戸の頂面に当接する押圧部材とを備え、
前記ランナ体および押圧部材のいずれか一方に設けられ前記引戸の上縁に対して上下方向に傾斜して延びる傾斜孔と、前記ランナ体および押圧部材のいずれか他方に設けられ前記傾斜孔の幅と同幅の寸法を有し、かつ前記傾斜孔に沿って相対的に案内されることにより前記押圧部材を斜め方向に上下動させるスライド軸部とを有し、
前記押圧部材は、前記上レールと前記引戸の頂面との間に配置され、平面視において前記上レールから前後少なくともいずれか一方に突出する上下操作片を有することを特徴とする引戸の上部ガイド装置。
【請求項３】
前記ランナ体は、前記吊用連結部に対して回転自在に取り付けられていることを特徴とする請求項１または請求項２記載の引戸の上部ガイド装置。
【請求項４】
前記押圧部材は、前記ランナ体に対して自重により下方に移動可能に構成されていることを特徴とする請求項１ないし請求項３のいずれか１項に記載の引戸の上部ガイド装置。
【請求項５】
前記傾斜孔は、前記引戸の上縁に対して、５度以上４５度未満の範囲で傾斜していることを特徴とする請求項１ないし請求項４のいずれか１項に記載の引戸の上部ガイド装置。
【請求項６】
前記傾斜孔は、前記吊用連結部側に向かうにしたがって前記引戸側に傾斜するように構成されていることを特徴とする請求項１ないし請求項５のいずれか１項に記載の引戸の上部ガイド装置。
【請求項７】
前記ランナ体は、前記上レールに沿って走行するガイドローラと、このガイドローラが取り付けられるとともに前記押圧部材が取り付けられるランナ本体部とを備え、
前記ランナ本体部は、前記ガイドローラが取り付けられるローラ取付部と、このローラ取付部に対して引戸開閉方向に沿って連設され前記押圧部材が取り付けられる部材取付部と、この部材取付部から上方に突出するとともに硬質合成樹脂から構成される跳上抑制突起部とを備え、
前記ガイドローラの頂部は、前記ローラ取付部の頂部に対して高く設定され、
前記跳上抑制突起部は、前記引戸の跳ね上げに対して前記ガイドローラとともに前記上レールの天壁内面に当接することを特徴とする請求項１ないし請求項６のいずれか１項に記載の引戸の上部ガイド装置。
【請求項８】
構造物の開口部を開閉する引戸上部に固定された引戸固定体と、この引戸固定体から上方に突出する吊用連結部と、前記構造物に設けられた上レールに沿って前記引戸をガイドするとともに前記吊用連結部の先端部に取り付けられたランナ体と、このランナ体に上下動可能に取り付けられるとともに前記引戸の頂面に当接する押圧部材とを備え、
前記ランナ体および押圧部材のいずれか一方に設けられ前記引戸の上縁に対して上下方向に傾斜して延びる傾斜孔と、前記ランナ体および押圧部材のいずれか他方に設けられ前記傾斜孔の幅と同幅の寸法を有し、かつ前記傾斜孔に沿って相対的に案内されることにより前記押圧部材を斜め方向に上下動させるスライド軸部とを有し、
前記ランナ体は、前記上レールに沿って走行するガイドローラと、このガイドローラが取り付けられるとともに前記押圧部材が取り付けられるランナ本体部とを備え、
前記ランナ本体部は、前記ガイドローラが取り付けられるローラ取付部と、このローラ取付部に対して引戸開閉方向に沿って連設され前記押圧部材が取り付けられる部材取付部と、この部材取付部から上方に突出するとともに硬質合成樹脂から構成される跳上抑制突起部とを備え、
前記ガイドローラの頂部は、前記ローラ取付部の頂部に対して高く設定され、
前記跳上抑制突起部は、前記引戸の跳ね上げに対して前記ガイドローラとともに前記上レールの天壁内面に当接し、
前記スライド軸部は、前記部材取付部に設けられ、
前記跳上抑制突起は、前記スライド軸部と上下方向に並設されていることを特徴とする引戸の上部ガイド装置。
【発明の詳細な説明】
【技術分野】
【０００１】
本発明は、構造物の開口部を開閉する引戸の上部を、前記開口部の上縁における構造物に取り付けられた上レールに沿って案内する上部ガイド装置に関し、特にこの上レールに吊り下げられる引戸の上部ガイド装置に関するものである。
【背景技術】
【０００２】
従来、構造物の開口部を開閉する引戸について、戸枠上部の上レールに引戸を吊り下げる上吊り式引戸（吊下式引戸）と、戸枠下部の下レール上を走行させる下支え式の引戸（非吊下式引戸）とがある。この上吊り式引戸について、引戸を前記上レールに吊り下げ、当該上レールに引戸上部を案内させる左右一対の上部ランナ装置が一般的に設けられている。
【０００３】
具体的には、特許文献１に示すように、上吊り式引戸の上部ランナ装置は、前記開口部を開閉する引戸上部に固定された引戸固定体（機構枠体８及び格納ケース５２等）と、この引戸固定体から上方に突出する吊用連結部（吊杆７）と、前記上レールに沿って引戸をガイドするとともに前記吊用連結部の先端部に回転自在に取り付けられたランナ体（ランナ部材６）とを備え、引戸の左右両端部に取り付けられている。また、この種の上部ガイド装置には、引戸固定体から突出する吊用連結部の突出高さを調節する高さ調節機構が設けられ、左右一対の上部ガイド装置の突出高さを調節することにより引戸の傾きを調整して締め残し等を回避するものとなされている。
【先行技術文献】
【特許文献】
【０００４】
【特許文献１】特開２００９−２９９２６１号公報
【発明の概要】
【発明が解決しようとする課題】
【０００５】
ところで、この種の上部ガイド装置では、前記のように、引戸固定体、吊用連結部及びランナ体等、複数の部材を備えていることから、これらの部材間に上下方向の遊びが存することがある。また、前記高さ調節機構には、比較的多数の部品が備えられ、これらの各種部品間にも少しずつではあるものの、遊びが存することがある。これらの遊びに基づき、上下方向のガタツキが大きくなり、特に、特許文献１記載の装置のように、ランナ体が吊用連結部に回転自在に取り付けられている場合には、この回転性能を担保するための遊びが存し、上下方向のガタツキが大きくなる傾向にある。
【０００６】
これらのガタツキは、引戸の跳ね上げの原因、具体的には騒音等の原因ともなることから抑制することが望まれている。
【０００７】
本発明は、上記従来の問題点に鑑みてなされたものであり、上下方向の遊びに起因する引戸の跳ね上げを抑制することができる上吊り式引戸の上部ガイド装置を提供することを目的としている。
【課題を解決するための手段】
【０００８】
上記課題を解決するために、この発明に係る引戸の上部ガイド装置は、構造物の開口部を開閉する引戸上部に固定された引戸固定体と、この引戸固定体から上方に突出する吊用連結部と、前記構造物に設けられた上レールに沿って前記引戸をガイドするとともに前記吊用連結部の先端部に取り付けられたランナ体と、このランナ体に上下動可能に取り付けられるとともに前記引戸の頂面に当接する押圧部材とを備え、前記ランナ体および押圧部材のいずれか一方に設けられ前記引戸の上縁に対して上下方向に傾斜して延びる傾斜孔と、前記ランナ体および押圧部材のいずれか他方に設けられ前記傾斜孔の幅と同幅の寸法を有し、かつ前記傾斜孔に沿って相対的に案内されることにより前記押圧部材を斜め方向に上下動させるスライド軸部とを有することを特徴とするものである。
【０００９】
ここで、押圧部材について、「前記引戸の頂面に当接する」とは、この引戸の開閉操作時に常時引戸の頂面に当接しているものだけでなく、引戸の開閉操作に伴って引戸の頂面に当接するものも含まれる。また、「引戸の頂面」とは引戸そのものの頂面だけでなく、引戸の頂部に一体的に設けられた部材の頂面であっても良い。さらに、前記スライド軸部について、「前記傾斜孔の幅と同幅の寸法を有し」とは、前記傾斜孔と同幅に構成されている場合の他、略同幅に構成されているものも含まれる概念である。この場合、前記スライド軸部は、前記傾斜孔の幅よりも若干小さく設定することにより、傾斜孔に沿って円滑に移動させることができる。
【００１０】
この発明によれば、前記のような引戸固定体と吊用連結部とランナ体と押圧部材とを備え、前記ランナ体および押圧部材のいずれか一方に設けられる傾斜孔と、前記ランナ体および押圧部材のいずれか他方に設けられ前記傾斜孔に沿って相対的に案内されるスライド軸部とを有するので、引戸固定体、吊用連結部およびランナ体の相互の取付け等に遊びが存し、引戸が跳ね上がろうとする場合でも、押圧部材によって引戸の頂面が押圧されて引戸の跳ね上げを効果的に抑制することができる。
【００１１】
すなわち、押圧部材は、前記引戸の頂面に当接するものであり、傾斜孔とスライド軸部とで、ランナ体に上下動可能に取り付けられているので、引戸の跳ね上げなどの衝撃力に対しては、傾斜孔の内周面とスライド軸部の外周面との摩擦抵抗力によって、前記傾斜孔と前記スライド軸部との相対的な変位が抑制され、押圧部材が引戸の頂面に当接した状態を維持することができ、この押圧部材によって引戸の跳ね上げを効果的に抑制することができる。一方、例えば上部ガイド装置の高さ調節など、引戸とランナ体との相対的距離がゆっくりと変化する場合には、前記傾斜孔に沿って前記スライド軸部が相対的に移動することにより、押圧部材が引戸の頂面に適切に当接した状態を維持することができる。
【００１２】
この発明において、前記ランナ体は前記吊用連結部に対して固定されているなど、両者の具体的な取付け構造を特に限定するものではないが、前記ランナ体は、前記吊用連結部に対して回転自在に取り付けられているような上部ガイド装置に好適に採用することができる。
【００１３】
このような構成では、吊用連結部に対するランナ体の回転を担保するため、上下方向の遊びが比較的大きくなり、引戸の跳ね上げが顕著になる虞がある。従って、このような構成の上部ガイド装置に適用することにより引戸の跳ね上げ抑制効果を最大限発揮することができる。
【００１４】
また、この発明において、押圧部材はバネやゴムなどの弾性体により下方に付勢されて引戸の頂面に圧接されているものであっても良いが、前記押圧部材は、前記ランナ体に対して自重により下方に移動可能に構成されているのが好ましい。
【００１５】
このように構成すれば、部品点数を減らして簡単かつ安価に構成することができる。
【００１６】
この発明において、前記傾斜孔の傾斜角度は特に限定するものではないが、前記傾斜孔は、前記引戸の上縁に対して、５度以上４５度未満の範囲で傾斜しているのが好ましい。さらに好ましくは、下限が７度で、上限が３０度の範囲に設定されるのが良い。
【００１７】
このように構成すれば、傾斜孔とスライド軸部との摩擦抵抗力を適正に発揮することができ、引戸開閉操作時に押圧部材を引戸頂面に確実に当接させることができる。
【００１８】
この発明において、前記傾斜孔の傾斜方向は上下方向に傾斜するものであれば特に限定するものではなく、例えば前記吊用連結部側に向かうにしたがって反引戸側に傾斜するように構成されているものであっても良いが、前記傾斜孔は、前記吊用連結部側に向かうにしたがって前記引戸側に傾斜するように構成されているのが好ましい。
【００１９】
このように構成すれば、引戸の頂面において吊用連結部に近接した位置に押圧部材が当接することになるので、より確実に各部材間の遊びに基づく引戸の跳ね上げを抑制することができる。
【００２０】
前記ランナ体の具体的構成を特に限定するものではなく、ランナ本体部とこのランナ本体部に取り付けられ上レールに沿って摺動するガイドブロック等のガイド摺動部とを備えるものであっても良いが、前記ランナ体は、前記上レールに沿って走行するガイドローラと、このガイドローラが取り付けられるとともに前記押圧部材が取り付けられるランナ本体部とを備えるのが好ましい。また、前記ランナ本体部の具体的構成についても特に限定するものではないが、前記ランナ本体部は、前記ガイドローラが取り付けられるローラ取付部と、このローラ取付部に対して引戸開閉方向に沿って連設され前記押圧部材が取り付けられる部材取付部と、この部材取付部から上方に突出するとともに硬質合成樹脂から構成される跳上抑制突起部とを備え、前記跳上抑制突起部は、前記引戸の跳ね上げに対して、頂部がローラ取付部の頂部よりも高く設定された前記ガイドローラとともに前記上レールの天壁内面に当接するのが好ましい。
【００２１】
このように構成すれば、引戸の跳ね上げに伴って上方への衝撃力が上部ガイド装置に作用した場合に、ガイドローラが跳上抑制突起部とともに上レールの天壁内面に当接することにより引戸の跳ね上げをより効果的に抑制することができる。
【００２２】
この場合、前記スライド軸部は、前記部材取付部に設けられ、前記跳上抑制突起は、前記スライド軸部と上下方向に並設されているのが好ましい。
【００２３】
すなわち、スライド軸部は、引戸の跳ね上げに対して押圧部材を通じて上方への衝撃力が作用し易く、このスライド軸部の真上（上下方向に並設される位置）に跳上抑制突起部が配設されることにより引戸の跳ね上げをより一層効果的に抑制することができる。
【００２４】
この発明において、前記ランナ体および押圧部材のいずれか一方には、前記傾斜孔に沿った第１傾斜当接面を有し、前記ランナ体および押圧部材のいずれか他方には、前記第１傾斜当接面に当接する第２傾斜当接面を有するのが好ましい。なお、この第２傾斜当接面は、第１傾斜当接面に対し、常時および全体が当接している必要はなく、少なくとも引戸の跳ね上げ時に互いに一部でも当接するものであれば良い。
【００２５】
このように構成すれば、引戸の跳ね上げなど、上方に衝撃力が作用した場合には、傾斜孔（具体的にはその周縁部）とスライド軸部との係合に加え、これら第１および第２傾斜当接面が当接して相互に面接触することにより、左右方向の変位が抑制され、その場ないしはその付近で衝撃力に対する反力を作用させることができ、ランナ体と押圧部材とが相対的に殆ど上下動せず、引戸の跳ね上げをより効果的に抑制することができる。
【００２６】
また、この発明において、前記押圧部材の具体的構成については、特に限定するものではないが、前記押圧部材は、前記上レールと前記引戸の頂面との間に配置され、平面視において前記上レールから前後少なくともいずれか一方に突出する上下操作片を有するのが好ましい。
【００２７】
このように構成すれば、押圧部材を上方に操作する場合に前記上レールが邪魔になることなく、前記上下操作片を用いて簡単に操作することができる。またこの上下操作片による重みによって、自重により押圧部材が下降するような構成とすることができる。
【発明の効果】
【００２８】
本発明に係る引戸の上部ガイド装置によれば、引戸固定体、吊用連結部およびランナ体の相互の取付け等に遊びが存し、引戸が跳ね上がろうとする場合でも、押圧部材によって引戸の頂面が押圧されて引戸の跳ね上げを効果的に抑制することができる。
【図面の簡単な説明】
【００２９】
【図１】本発明の一実施形態に係る上部ガイド装置を引戸に取り付けた状態で示す斜視図である。
【図２】上部ガイド装置を拡大して示す正面図である。
【図３】引戸固定体とガイドローラ及びローラ取付部を示す正面図である。
【図４】部材取付部及び跳上抑制突起部を示す図であり、（Ａ）は正面図、（Ｂ）は平面図、（Ｃ）は左側面図である。
【図５】押圧部材を示す図であり、（Ａ）は正面図、（Ｂ）は平面図、（Ｃ）は左側面図である。
【図６】前記上部ガイド装置を設置した状態で示す正面図である。
【図７】前記上部ガイド装置を、図６の状態から押圧部材を上方に押し上げた状態で示す正面図である。
【図８】図６におけるＶＩＩＩ−ＶＩＩＩ線断面図である。
【発明を実施するための形態】
【００３０】
以下、本発明に係る一実施形態を図面に基づいて説明する。なお、本実施形態の引戸の上部ガイド装置は、上レールに引戸を吊下するとともに、この上レールに沿って引戸を案内する。すなわち、本実施形態の上部ガイド装置は、吊下式引戸、およびこれに類する引戸に適用することができる。本実施形態の上部ガイド装置は、引戸の開閉操作をアシストするスライドアシスト装置が設けられていない引戸について説明するが、両側、またはどちらか一方の片側にスライドアシスト装置が設けられた引戸についても適用可能であり、さらに引戸と戸枠の衝突を緩和させるために引戸のスライド終期に引戸に制動力を付与する引戸緩衝装置など、他の装置が設けられた引戸にも適用することができる。
【００３１】
図１は、本実施形態の引戸の上部ガイド装置を引戸の上部に取り付けた状態で示す斜視図である。なお、以下、説明の便宜上、各図における＋Ｘ方向を右方向、＋Ｙ方向を前方向、＋Ｚ方向を上方向として説明するが、これらの方向の表現については特に限定されるものではなく、単に本実施形態における相対的な位置関係を表したものである。
【００３２】
まず、本実施形態の上部ガイド装置１が取り付けられる引戸構造について簡単に説明する。引戸構造は、構造物の開口部（不図示）を開閉する引戸Ｄと、構造物の開口部の周縁部に固定され内側で引戸Ｄがスライド移動する戸枠（不図示）と、この戸枠上部を構成する鴨居（不図示）の下面に引戸Ｄの開閉方向に沿って配設される上レールＬとを備える。引戸Ｄは、戸本体Ｄ１と、戸本体Ｄ１の上部に取り付けられた左右一対の上部ガイド装置１，１Ａとを備え、この上部ガイド装置１，１Ａが上レールＬに挿通されることにより、この上レールＬに吊下されるとともにこの上レールＬに沿って開閉される。
【００３３】
本実施形態の上レールＬは、下方に開口するＣ字状、すなわち左右方向に延びる天壁部Ｌ１と、この天壁部Ｌ１の前後両端縁から下方に延びる前後両側壁部Ｌ２と、これらの前後各側壁部Ｌ２の下端から幅方向内側に延びる前後フランジ部Ｌ３とを備え、前後フランジ部Ｌ３の先端同士が離隔配置されることにより下方に開口した状態となっている。
【００３４】
なお、この上レールＬは、戸枠の鴨居の下面に固定されているが、鴨居に埋設されているものであっても良く、また構造物の開口部の周縁部のうち上縁部に直接固定されるもの、またはこれらに類するものであっても良い。
【００３５】
そして、上部ガイド装置１，１Ａは、引戸Ｄの戸本体Ｄ１の上部、詳しくは上端部における左右両端部に固定されている。本実施形態では、上部ガイド装置１，１Ａのうち、一方の（右側に配設された）上部ガイド装置１Ａは公知の上部ガイド装置として構成されており、他方の（左側に配設された）上部ガイド装置１は本実施形態に係る上部ガイド装置として構成されている。なお、左右いずれの上部ガイド装置１，１Ａも本実施形態に係る上部ガイド装置１として構成されているものであっても良く、この場合、各上部ガイド装置１の向きに関しては特に限定されるものではない。上部ガイド装置１Ａについては、ランナ体４Ａの具体的構成において、上部ガイド装置１と異なる。すなわち、上部ガイド装置１Ａは、引戸固定体２と、この引戸固定体２から上方に突出する吊用連結シャフト３と、この連結シャフト３の先端部に回転自在に取り付けられたランナ体４Ａとを備え、ランナ体４Ａは一般的なランナ体であるので、ここでは説明を省略する。以下、この左側に配設された上部ガイド装置１について説明する。図２は上部ガイド装置を示す正面図である。
【００３６】
この上部ガイド装置１は、戸本体Ｄ１の上部に固定された引戸固定体２と、この引戸固定体２から上方に突出する吊用連結シャフト３（吊用連結部に対応）と、この連結シャフト３の先端部に回転自在に取り付けられるとともに上レールＬに沿って戸本体Ｄ１をガイドするランナ体４と、このランナ体４に上下動可能に取り付けられるとともに戸本体Ｄ１の頂面Ｄ２に当接可能に構成されている押圧部材５とを備える。
【００３７】
図３は、引戸固定体およびランナ体の後述するローラ取付部を示す正面図である。
【００３８】
引戸固定体２は、引戸Ｄの頂部に埋設されるブロック状体である。具体的には、この引戸固定体２は、戸本体Ｄ１の上端部における左側縁部に設けられるとともに上方及び左側方に開口する収納溝（図示省略）に収納された状態で、左右方向に貫通するネジ（図示省略）によって戸本体Ｄ１に固定されている。
【００３９】
この引戸固定体２は、外側面に高さ調節ネジ２１及び前後調節ネジ２２が上下に並んだ状態で設けられている。この高さ調節ネジ２１は、左右回動させることにより引戸固定体２に対する連結シャフト３の突出長さを調節し得るように構成されている。前後調節ネジ２２は、左右回動させることにより引戸固定体２に対する連結シャフト３の前後位置を調節し得るように構成されている。各調節ネジ２１，２２による調節機構の具体的構成は、公知であり、例えば特許文献１に開示の技術など種々の構造を採用することができる。
【００４０】
吊用連結シャフト３は、下部が引戸固定体２の内部に備える前記高さ及び前後調節機構に接続され、引戸固定体２からの突出長さ及び引戸固定体２に対する前後位置を調節可能に構成されている。この連結シャフト３は、棒状体として構成され、先端部（上端部）に径方向に膨出するとともに着脱可能に構成された頭部３１と、この頭部３１の下方に所定間隔を隔てて径方向に膨出するとともに上面がランナ体４の下面に当接するフランジ部３２とを有し、この頭部３１およびフランジ部３２がランナ体４に係合することにより、ランナ体４に対して回転自在となるように構成されている。
【００４１】
一方、ランナ体４は、図２に示すように、上レールＬに沿って走行するガイドローラ６と、このガイドローラ６及び前記押圧部材５が取り付けられるランナ本体部７とを備え、吊用連結シャフト３の先端部に回転自在に取り付けられている。
【００４２】
ガイドローラ６は、基本的に、引戸Ｄの開閉操作に伴って上レールＬの前後フランジ部Ｌ３上を転動するものであり、引戸Ｄの跳上時や引戸固定体２に対してランナ体４が上昇した場合には、上レールＬの天壁部Ｌ１に当接してランナ体４に対して下方向の力を作用させることができる。具体的には、ガイドローラ６の頂部は、後述するローラ取付部７１の頂部に対して高く設定され、ランナ体４の上昇時にローラ取付部７１に先んじてガイドローラ６が上レールＬの天壁部Ｌ１に当接するものとなされている。また、このガイドローラ６は、少なくとも外周部がランナ本体部７よりも軟質の合成樹脂（例えばエラストマ）の弾性体から構成され、弾性変形可能に構成されている。なお、このガイドローラ６は、ローラ部分が弾性体により一体形成されるものであっても良いが、タイヤ部分とホイール部分とが分割して構成されているものであってもよい。この場合、少なくともタイヤ部分が弾性体から構成されている。
【００４３】
ランナ本体部７は、ガイドローラ６が取り付けられるローラ取付部７１と、このローラ取付部７１に対して引戸開閉方向に沿って連設され押圧部材５が取り付けられる部材取付部７２と、この部材取付部７２から上方に突出する跳上抑制突起部７３とを備え、左右方向に細長く延びるものとなされている。
【００４４】
ローラ取付部７１は、部材取付部７２と別体として構成され、連結ブロック７５を介して部材取付部７２と連結されているとともに連結シャフト３が回転自在に係合されている。具体的には、ローラ取付部７１は、ガイドローラ６が取り付けられるローラ用基体７４と、このローラ用基体７４から側方（図２では右方）に突出するブロック状体としての連結ブロック７５とを備える。ローラ用基体７４には、左右両端部に、それぞれ前後一対のガイドローラ６が取り付けられている。また、このローラ用基体７４は、連結シャフト３の先端部が挿通される上下貫通孔（不図示）が設けられ、この貫通孔の上部に座ぐり（不図示）が設けられ、この座ぐりに連結シャフト３の頭部３１が収容されている。連結ブロック７５は、左右方向中間部に上下方向に貫通するネジ孔７５ａが設けられ、このネジ孔７５ａにネジ（不図示）が螺入されることにより部材取付部７２に連結されている。
【００４５】
部材取付部７２は、押圧部材５を上下昇降可能、より具体的には引戸Ｄの上縁に対して上下に傾斜する方向に昇降可能に保持するものであり、左右に細長く構成されている。図４は、部材取付部及び跳上抑制突起部を示す図面であり、（Ａ）は正面図、（Ｂ）は平面図、（Ｃ）は左側面図を示している。
【００４６】
具体的には、この部材取付部７２は、ローラ取付部７１が連結される連結部７７と、左右方向に延設された移動許容溝７８ｂを有し連結部７７に連設された保持部７８と、この保持部７８の下部、具体的には移動許容溝７８ｂの一端部（左端部）を跨ぐように設けられたスライドボス部７９とを備え、跳上抑制突起部７３もあわせて硬質合成樹脂（例えばポリアミド樹脂、ポリエチレン樹脂、プロプロピレン樹脂など公知の合成樹脂）から一体形成されている。
【００４７】
連結部７７は、ブロック状体として構成され、戸本体Ｄ１の頂面Ｄ２に対して上方に離間した位置に配置されている。この連結部７７は、下方及び左側方に開口した連結嵌合溝７７ａが設けられるとともに、この連結嵌合溝７７ａの左右方向中間部に連通する連結用ネジ孔７７ｂが上下方向に貫通して設けられている。この連結嵌合溝７７ａに、ローラ取付部７１の連結ブロック７５が嵌合され、この嵌合状態において連結用ネジ孔７７ｂを通じて連結ブロック７５のネジ孔７５ａにネジが螺着されることにより、ローラ取付部７１と部材取付部７２とが一体的に連結されている。
【００４８】
保持部７８は、正面視において、上底に対して下底が短く設定された左右に細長い略台形状であって、左端下部に切欠き部７８ａを有する形状を呈する。この保持部７８は、厚み方向（前後方向）中央部において左右方向一端縁から他端縁にかけて下方に開口する移動許容溝７８ｂが設けられ、この移動許容溝７８ｂに押圧部材５の後述するスライド嵌合部５０が摺動可能に嵌合されるように構成されている。
【００４９】
切欠き部７８ａは、押圧部材５の後述する上下操作片５２との干渉を防止するために設けられたものであり、上下操作片５２の形状等に応じて適宜構成されている。具体的には、切欠き部７８ａの上側内側面７８ａ１は以下に説明する移動許容溝７８ｂの傾斜内面７８ｃに連続して傾斜した状態で設けられている。
【００５０】
この移動許容溝７８ｂは、切欠き部７８ａに連続して設けられ、その深さが右側に向かうに従って上方に傾斜するように設定され、その傾斜角度は、後述する傾斜ガイド孔５０ａと一致するように設定されている。具体的な傾斜角度については、傾斜ガイド孔５０ａとともに後述する。従って、この移動許容溝７８ｂの傾斜内面７８ｃ（移動許容溝７８ｂの奥底面）の傾斜角度も、切欠き部７８ａの上側内側面７８ａ１及び傾斜ガイド孔５０ａの傾斜角度と一致する。この傾斜内面７８ｃ（第１の第２傾斜当接面に対応）は、切欠き部７８ａの上側内側面７８ａ１とともに、少なくとも押圧部材５に対して上方向の衝撃力が作用した場合にスライド嵌合部５０の後述する上側傾斜ガイド面５０ｂに当接するものとなされている。
【００５１】
また、保持部７８の下面は、上下方向に法線を有する非当接面７８ｄと、この非当接面７８ｄに連続するとともに傾斜ガイド孔５０ａの傾斜角度と一致する傾斜を有するランナ側傾斜ガイド面７８ｅ（第２の第２傾斜当接面に対応）とを移動許容溝７８ｂを挟んで前後にそれぞれ有し、押圧部材５に対し上方向の衝撃力が作用した場合にこのランナ側傾斜ガイド面７８ｅが押圧部材５の後述する補助ガイド部５１の下側傾斜ガイド面５１ａ（第２の第１傾斜当接面に対応）に当接するものとなされている。なお、この保持部７８の非当接面７８ｄは、適宜省略することができ、その具体的形状についても特に限定するものではない。
【００５２】
さらに、保持部７８の下部（図例では左右方向中央部やや左寄りの下部）には、スライドボス部７９が嵌入されるボス孔７８ｆが設けられ、このボス孔７８ｆは移動許容溝７８ｂに連通するものとなされている。
【００５３】
スライドボス部７９（スライド軸部に対応）は、傾斜ガイド孔５０ａに挿入され、ランナ体４に対する押圧部材５の上下動作をガイドするためのものであり、前後方向に延びる柱状体として構成されている。特に、本実施形態では、円柱状体として構成され、ランナ体４の保持部７８、具体的には保持部７８の下部に設けられたボス孔７８ｆにかしめ状態で取り付けられている。スライドボス部７９は、中心線（前後方向）に沿って寸胴状に構成され、外周面が傾斜ガイド孔５０ａの内周面に前後方向に均一に当接するようになされている。
【００５４】
また、このスライドボス部７９の外径（スライド軸部の幅に対応）は、傾斜ガイド孔５０ａの幅と同一ないしは若干小さく設定され、上下方向の遊びが小さくなるように構成されている。これにより、スライドボス部７９と傾斜ガイド孔５０ａとの遊びに基づく、引戸Ｄの跳ね上げを可及的に抑制することができる。
【００５５】
なお、このスライドボス部が本実施形態のような円柱状ではなく、角柱状体等で構成されるものであっても良く、この場合には、傾斜ガイド孔５０ａの中心線に直行する幅方向の寸法が当該傾斜ガイド孔５０ａの幅寸法と同一ないしは若干小さくなるように設定される。
【００５６】
一方、跳上抑制突起部７３は、保持部７８の上端部における他端側寄り（図例では左側寄り）において、前後方向に突出するとともに上方に突出した状態で、前後一対設けられている。特に本実施形態の跳上抑制突起部７３は、保持部７８のボス孔７８ｆの真上、すなわち上下方向に並ぶ位置に設けられ、左右の中央位置がボス孔７８ｆの軸心位置と左右方向において略一致するように設けられている。各跳上抑制突起部７３は、略直方体状に構成され、図４（Ｃ）に示すように、頂部７３ａが左右方向に中心線を有する曲面として構成されている。この頂部７３ａのうち、上下方向について最も高い位置が、図２に示すように、保持部７８やローラ取付部７１よりも高く設定され、ガイドローラ６の頂部と略同等の高さ位置になるように設定されている。従って、引戸Ｄの跳ね上げ時には、跳上抑制突起部７３は、ガイドローラ６の頂部とともに上レールＬの天壁部Ｌ１に当接するようになされている。
【００５７】
なお、頂部７３ａは、曲面に限らず、平面等の他の形状であっても良いが、本実施形態のように左右方向に中心線を有する曲面として構成された場合には引戸が傾いた状態で跳ね上がった場合でも、跳上抑制突起部７３の損傷を抑制するものとなされている。この跳上抑制突起部７３の厚み（前後方向）、長さ（左右方向）の寸法はガイドローラ６の厚み及び外径等を考慮して適宜設定される。
【００５８】
次に押圧部材５について説明する。図５は押圧部材を示す図であり、（Ａ）は正面図、（Ｂ）は平面図、（Ｃ）は側面図である。
【００５９】
この押圧部材５は、斜め方向に上下動可能にランナ体４に取り付けられた部材であり、引戸Ｄの開閉操作時に戸本体Ｄ１の頂面Ｄ２に載置されることにより当該頂面Ｄ２に当接するものである。より具体的には、押圧部材５は、台形板状のスライド嵌合部５０と、このスライド嵌合部５０の下側一端部（図例では下側右端部）に配設されるとともにスライド嵌合部５０に対して前後に突出する前後一対の補助ガイド部５１と、スライド嵌合部５０の下側他端部（図例では下側左端部）に設けられた操作片５２とを備え、スライド嵌合部５０がランナ体４の移動許容溝７８ｂ内にスライド自在に配設されている。なお、本実施形態ではスライド嵌合部５０、補助ガイド部５１及び操作片５２が硬質合成樹脂によって一体に成形されている。
【００６０】
スライド嵌合部５０は、部材取付部７２の保持部７８と略同等の左右寸法に設定され、押圧部材５の最上位置で左右方向について保持部７８と重なるように構成されている。このスライド嵌合部５０には、正面視における左端部から右端部にかけて、引戸Ｄの上縁、すなわち左右方向に対して上下方向に傾斜する傾斜ガイド孔５０ａ（傾斜孔に対応）が板厚方向（前後方向）に貫設されている。この傾斜ガイド孔５０ａの引戸Ｄの上縁（本実施形態では水平方向に一致する）に対する傾斜角度は、具体的には５°から４５°の範囲内で設定されている。すなわち、この傾斜角度が５°よりも小さくなると、ランナ体４と押圧部材５のいずれかに、上下方向の成分を有する力がゆっくりと作用した場合でも、ランナ体４と押圧部材５とが相対的に変位し難くなる。また、この傾斜角度が４５°よりも大きくなると、ランナ体４と押圧部材５のいずれかに、上下方向の成分を有する力が急激に作用した場合でも、ランナ体４と押圧部材５とが相対的に変位し易くなり、衝撃力に対して変位し難いという上部ガイド装置本来の機能が低下する。この傾斜角度は、好ましくは７°から３０°の範囲内で設定されるのが良い。なお、本実施形態では、傾斜ガイド孔５０ａは、引戸上縁（左右水平方向）に対して１０°の角度になるように設定されている。
【００６１】
この傾斜ガイド孔５０ａの傾斜方向は、本実施形態では、図例において左方に向かうにしたがって下方に傾斜するように設定され、言い換えれば連結シャフト３側に向かうにしたがって戸本体Ｄ１の頂面Ｄ２側に傾斜するように構成されている。また、この傾斜ガイド孔５０ａは、正面視細長い長円形状を呈し、スライドボス部７９の外径と一致する幅（中心線と直交する方向）に設定されている。また、この傾斜ガイド孔５０ａの内周面は、前後方向の軸に平行な面から構成され、スライドボス部７９との間で所定の摩擦力が生じるように構成されている。また、この傾斜ガイド孔５０ａの上端と下端との間の高さ寸法は、少なくとも高さ調節ネジ２１によって調整可能な高さよりも大きく設定され、具体的には３ｍｍから１５ｍｍの範囲で設定されている。
【００６２】
また、このスライド嵌合部５０の下面は、上下方向に法線を有する平滑面として構成され、戸本体Ｄ１の頂面Ｄ２に重合するものとなされている。すなわち、このスライド嵌合部５０の下面が頂面Ｄ２に当接可能に構成されている。一方、スライド嵌合部５０の上面は、傾斜ガイド孔５０ａの傾斜角度と一致する傾斜を有する上側傾斜ガイド面５０ｂ（第１の第１傾斜当接面に対応）を構成し、押圧部材５に対し上方向の衝撃力が作用した場合にこの上側傾斜ガイド面５０ｂがランナ体４の移動許容溝７８ｂの傾斜内面７８ｃに当接するものとなされ、この当接に伴っても摩擦力が生じるものとなされている。
【００６３】
補助ガイド部５１は、前述したように、スライド嵌合部５０の下側右端部にそれぞれ前後方向に突出して設けられている。この補助ガイド部５１は、正面視略直角三角形状を呈し、下端縁と一側端縁（図例では右側端縁）がそれぞれスライド嵌合部５０の下端縁と一側端縁と一致した状態でこのスライド嵌合部５０と一体形成されている。補助ガイド部５１の上面は、スライド嵌合部５０の上側傾斜ガイド面５０ｂと同様、傾斜ガイド孔５０ａの傾斜角度と一致する傾斜を有する下側傾斜ガイド面５１ａ（第２の第１傾斜当接面に対応）として構成されている。この下側傾斜ガイド面５１ａも、上側傾斜ガイド面５０ｂと同様に、押圧部材５に対し上方向の衝撃力が作用した場合に、この下側傾斜ガイド面５１ａがランナ体４のランナ側傾斜ガイド面７８ｅに確実に当接するものとなされ、この当接に伴う摩擦力が生じるものとなされている。
【００６４】
この下側傾斜ガイド面５１ａの幅は、ランナ体４と押圧部材５との間の摺動性を担保しつつ、適切な摩擦力を発生させる観点から、スライド嵌合部５０の板厚に対して０．３倍から１．０倍の範囲内で設定するのが好ましく、０．５倍から０．７倍の範囲内で設定するのがさらに好ましい。
【００６５】
次に、操作片５２について説明する。この操作片５２は、側面視略逆Ｔ字状を呈し、押圧部材５を手動で上下動させる場合に操作されるものであり、本実施形態では押圧部材５が自重によって下方に移動するための錘としての役割も果たしている。
【００６６】
具体的には、操作片５２は、前後方向中央部に配置された基体ブロック５２ａと、この基体ブロック５２ａの下端部に前後に突出して設けられた操作フランジ部５２ｂとを備え、この操作フランジ部５２ｂによって手動操作できるものとなされている。
【００６７】
基体ブロック５２ａは、スライド嵌合部５０よりも前後方向の厚みが厚く構成され、上面がスライド嵌合部５０の上側傾斜ガイド面５０ｂと連続して設けられている。このため、基体ブロック５２ａの上面は、左右方向について上下に傾斜しており、その傾斜角度は傾斜ガイド孔５０ａに一致するものとなされている。なお、基体ブロック５２ａの厚みは、スライド嵌合部５０の厚みに対して１．２倍から３．０倍の範囲内に設定されている。
【００６８】
操作フランジ部５２ｂは、前後に延びる板状体として構成され、先端面に上下方向に沿った複数の溝部５２ｃが設けられ、滑り止めとしての機能を果たす。この操作フランジ部５２ｂの先端は、図５（Ｂ）に示すように、平面視において上レールＬから突出するように設定され、操作しやすいようになされている。言い換えると、操作フランジ部５２ｂの先端の前後中心からの距離は、上レールＬの前後中心から側壁部Ｌ２の外面までの距離よりも長くなるように設定されている。
【００６９】
このような押圧部材５は、例えば次のようにしてランナ体４の部材取付部７２に組み付ける。
【００７０】
すなわち、部材取付部７２の移動許容溝７８ｂに、押圧部材５のスライド嵌合部５０を上端部から差し込み、このスライド嵌合部５０の上側傾斜ガイド面５０ｂを、移動許容溝７８ｂの傾斜内面７８ｃに当接させる。そして、このスライド嵌合部５０の傾斜ガイド孔５０ａが正面視において部材取付部７２のボス孔７８ｆと重なるように位置合わせする。この状態において、このボス孔７８ｆおよび傾斜ガイド孔５０ａにスライドボス部７９を挿入し、スライドボス部７９を前後両側からかしめてスライドボス部７９を部材取付部７２の保持部７８に固定する。
【００７１】
これにより、押圧部材５は、ランナ体４に取り付けられる。
【００７２】
この状態では、押圧部材５は、ランナ体４に対して、斜め方向に上下昇降可能に保持され、操作片５２を含めた自重により、下方に移動するものとなされている。
【００７３】
また、この状態では、押圧部材５の上側傾斜ガイド面５０ｂ及び下側傾斜ガイド面５１ａは、それぞれ部材取付部７２の保持部７８における傾斜内面７８ｃ及びランナ側傾斜ガイド面７８ｅに、当接ないしは略当接した状態となっており、少なくともランナ体４と押圧部材５とが近接する方向に外力が作用した場合にはそれぞれ当接した状態となる。
【００７４】
すなわち、本実施形態では、押圧部材５の上側傾斜ガイド面５０ｂ及び下側傾斜ガイド面５１ａとが、本発明にいう「第１傾斜当接面」（又は第２傾斜当接面）に対応し、ランナ体４において、傾斜内面７８ｃ及びランナ側傾斜ガイド面７８ｅが本発明にいう「第２傾斜ガイド面」（第２傾斜当接面）に対応する。言い換えれば、本実施形態の上部ガイド装置１では、ランナ体４及び押圧部材５のそれぞれに各傾斜当接面が複数存し、これにより上下方向の衝撃力が両者４，５に作用した場合に、各傾斜当接面同士が当接して、十分な摩擦力が作用するものとなされている。
【００７５】
そして、このように組み付けられた上部ガイド装置１を引戸Ｄの戸本体Ｄ１に固定することにより、当該上部ガイド装置１を設置することができる。
【００７６】
以上のように構成された上部ガイド装置１の作用について、図１、図６および図７を用いて説明する。図６及び図７は、ともに上レールを断面状態で示す上部ガイド装置を示す断面図であり、図６は押圧部材が引戸頂面に当接した状態、図７は押圧部材が引戸頂面から離間した状態を示している。
【００７７】
図１に示す引戸Ｄを開閉方向にスライド操作させると、引戸Ｄの上部ガイド装置１，１Ａのガイドローラ６上レールＬ内、具体的には前後フランジ部Ｌ３上を転動し、これにより引戸Ｄを上レールＬによってガイドされる。
【００７８】
このとき、押圧部材５は、その下面が戸本体Ｄ１の頂面Ｄ２に当接した状態になっている。仮に、押圧部材５の下面が頂面Ｄ２から離間した状態であったとしても、引戸開閉操作に伴って、自重により押圧部材５が下降し、押圧部材５の下面が頂面Ｄ２に当接した状態に移行する。
【００７９】
ところで、この引戸Ｄの吊下構造など、具体的には引戸固定体２、吊用連結シャフト３およびランナ体４等の相互の取付等に遊びが存するため、引戸Ｄの開閉操作に伴って、当該引戸Ｄが戸枠に衝突などすると、引戸Ｄが跳ね上がろうとする。
【００８０】
しかしながら、本実施形態の上部ガイド装置１は、押圧部材５が引戸Ｄの頂面Ｄ２を押圧して引戸Ｄの跳上を効果的に抑制することができる。
【００８１】
すなわち、引戸Ｄが跳ね上がろうとすると、引戸Ｄが上昇して、ランナ体４のガイドローラ６及び跳上抑制突起部７３が上レールＬの天壁部Ｌ１内面に当接して下方への反力が生じる。このように、本実施形態の上部ガイド装置１では、ガイドローラ６とともに跳上抑制突起部７３が天壁部Ｌ１に当接するので、安定した状態で下方への反力を生じさせることができる。
【００８２】
同時に、押圧部材５の上下両側の傾斜ガイド面５０ｂ，５１ａが、ランナ体４の傾斜内面７８ｃ及びランナ側傾斜ガイド面７８ｅのそれぞれに当接してこの当接面に摩擦力が発生し、これらの当接面を通じても下方への反力が生じる。
【００８３】
さらに、本実施形態の上部ガイド装置１では、跳上抑制突起部７３は、スライドボス部７９と上下方向に並設されているので、よりダイレクトに反力を作用させることができ、引戸Ｄの跳上を一層効果的に抑制することができる。
【００８４】
ここで、押圧部材５は、ランナ体４に斜め上下方向に移動可能に取り付けられているものの、押圧部材５の傾斜ガイド孔５０ａと同幅の寸法を有し、この傾斜ガイド孔５０ａに沿って相対的に案内されるランナ体４のスライドボス部７９が傾斜ガイド孔５０ａに挿入され、しかもこの傾斜ガイド孔５０ａの傾斜角が１０°に設定されているので、引戸Ｄの跳ね上げなどの衝撃力に対しては、傾斜ガイド孔５０ａの内周面とスライドボス部７９の外周面との摩擦抵抗力や各傾斜当接面５０ｂ，５１ａ，７８ｃ，７８ｅの相互の摩擦抵抗力によって、傾斜ガイド孔５０ａとスライドボス部７９との相対的な変位が抑制され、押圧部材５が引戸Ｄの頂面Ｄ２に当接した状態を維持することができ、これにより押圧部材５を通じて前記反力を効果的に引戸Ｄに作用させることができる。しかも、傾斜ガイド孔５０ａの傾斜角が１０°に設定されているので、傾斜ガイド孔５０ａとスライドボス部７９との摩擦抵抗力を適正に発揮することができ、より効果的に引戸Ｄに対して反力を作用させることができる。
【００８５】
すなわち、押圧部材５は、引戸Ｄの戸本体Ｄ１の頂面Ｄ２に当接しているので、各部材２〜４間に遊びがある場合でも、押圧部材５を通じて前記反力をダイレクトに引戸Ｄに伝達することができ、引戸Ｄの跳上を効果的に抑制することができる。しかも、本実施形態の上部ガイド装置１では、傾斜ガイド孔５０ａが吊用連結シャフト３側に向かうにしたがって引戸Ｄの頂面Ｄ２側に傾斜するように構成されているので、押圧部材５の下降位置では、傾斜ガイド孔５０ａの傾斜方向が逆の場合に比べて、吊用連結シャフト３に近接した位置で押圧部材５が頂面Ｄ２に当接することになるので、吊用連結シャフト３に関連する前記遊びに基づく引戸Ｄの跳上を効果的に抑制することができる。
【００８６】
一方、例えば上部ガイド装置１の高さ調節など、引戸Ｄとランナ体４との相対的距離を変更する場合には、まず図７に示すように、操作片５２を把持して押圧部材５を斜め上方に移動させる。すなわち、操作片５２を上方に持ち上げると、押圧部材５がその傾斜ガイド孔５０ａに沿ってスライドボス部７９によって斜め上方に相対的に変位させることができる。この状態で、高さ調節ネジ２１を回転させることにより、引戸Ｄとランナ体４との相対的距離を変更することができる。
【００８７】
なお、この変更に伴って予め押圧部材５を上方に移動させなくても、高さ調節ネジ２１による引戸Ｄとランナ体４との相対的距離が変更すれば、これに追随して押圧部材５とランナ体４との相対的位置を変更させることもできる。
【００８８】
なお、以上に説明した引戸の上部ガイド装置１は、本発明の一実施形態であり、その具体的構成等については本発明の趣旨を逸脱しない範囲で適宜変更可能である。以下、その変形例を説明する。
【００８９】
（１）前記実施形態では、押圧部材５に傾斜ガイド孔５０ａが設けられ、ランナ体４にスライドボス部７９が設けられた上部ガイド装置１について説明したが、傾斜ガイド孔などの傾斜孔がランナ体に設けられ、かつスライドボス部などのガイド部が押圧部材に設けられるものであっても良い。
【００９０】
（２）前記実施形態では、傾斜ガイド孔５０ａの傾斜方向について、吊用連結シャフト３側に向かうにしたがって引戸Ｄ側（下側）に傾斜するものについて説明したが、傾斜方向についてはその逆、すなわち吊用連結シャフト３側に向かうにしたがって引戸Ｄ側と反対側（上側）に傾斜するものであっても良い。
【００９１】
ただし、前記実施形態のように構成することにより、引戸Ｄの跳上をより適切に抑制することができる。
【００９２】
（３）前記実施形態では、押圧部材５について、自重により下方に移動可能に構成されているものについて説明したが、例えば押圧部材は弾性体による付勢手段によって、下方を含め、傾斜孔によって下向きの力が作用するような方向に付勢されているものであっても良い。例えば、付勢手段としてつる巻きバネを採用した場合には、ランナ体と押圧部材との間につる巻きバネを介在させて、このつる巻きバネによって押圧部材を傾斜孔の傾斜方向に沿って付勢させるものであっても良い。ただし、このように付勢部材を設けた場合には、部品点数ばかりでなく、製造工程も増え、比較的高価になることから、前記実施形態のように、押圧部材が自重により下方に移動可能に構成されるのが好ましい。
【００９３】
（４）前記実施形態では、上レールＬは、下方に開口するＣ字状に構成されているが、この上レールＬの具体的形状はこれに限定されるものではない。例えば、前後フランジ部Ｌ３は、平板状に構成されているが、下方に突出する円弧状に構成されるものであっても良い。また、上レールＬがＣ字状に構成されているが、コ字状、すなわち側方に開口するように構成されているものであっても良い。この場合には、ランナ体のガイドローラは、片輪として構成される。
【００９４】
（５）前記実施形態では、吊用連結シャフト３にランナ体４が回転自在に取り付けられているが、ランナ体４が連結シャフト３に固定されているものであっても良い。
【００９５】
（６）前記実施形態では、押圧部材５に操作片５２が設けられているものについて説明しているが、上下操作片の具体的構成は特に限定するものではなく、また、適宜省略することができる。
【００９６】
ただし、本実施形態のように、平面視において、上レールＬから前後に突出する上下操作片を設ければ、押圧部材５を上方に操作する場合に上レールＬが邪魔になることなく、上下操作片５２を用いて簡単に操作することができる。またこの上下操作片５２による重みによって、自重により押圧部材５が下降するような構成とすることができ、操作片５２に別の役割を担わせることができる。
【符号の説明】
【００９７】
Ｄ  引戸
Ｄ２  頂面
Ｌ  上レール
１  上部ガイド装置
２  引戸固定体
３  吊用連結シャフト（吊用連結部に対応）
４  ランナ体
５  押圧部材
５０ａ  傾斜ガイド孔（傾斜孔に対応）
５０ｂ  上側傾斜ガイド面（第１傾斜当接面に対応）
５１ａ  下側傾斜ガイド面（第１傾斜当接面に対応）
５２  上下操作片
６  ガイドローラ
７  ランナ本体部
７１  ローラ取付部
７２  部材取付部
７３  跳上抑制突起部
７８ｃ  傾斜内面（第２傾斜当接面に対応）
７８ｅ  ランナ側傾斜ガイド面（第２傾斜当接面に対応）
７９  スライドボス部（スライド軸部に対応）
【図１】
0006715031.tif 000002
【図２】
0006715031.tif 000003
【図３】
0006715031.tif 000004
【図４】
0006715031.tif 000005
【図５】
0006715031.tif 000006
【図６】
0006715031.tif 000007
【図７】
0006715031.tif 000008
【図８】
0006715031.tif 000009